(57)【要約】    【課題】  電話装置等の電子機器としての本来の機能を損なうことなくこれまでにない新たなデザイン設計を可能とする構造を有する電子機器を提供する。    【解決手段】  機器本体部１０に対して着脱可能なハンドセット２０を載置する構造の電話装置であって、機器本体部１０に、操作レバー部１２と、ハンドセット２０を載せて本体部の表面と面一に保持するせり出し保持部１３とを備え、操作レバー部１２とせり出し保持部１３は、一端を本体部に回動可能に軸支され、せり出し保持部は、操作レバー部の後方への回動に連動して前方に回動し、ハンドセット２０がせり出し保持部による前方への回動と操作レバー部の後方への回動に連動して掴み可能にせり出す構造とした。  【選択図】    図１
2007166558.tif 000002
【特許請求の範囲】
【請求項１】
機器本体部に対して着脱可能なハンドリング部を載置する電子機器であって、
前記機器本体部に、操作レバー部と、前記ハンドリング部を載せた際に前記ハンドリング部を前記操作レバー部の表面と面一に保持するせり出し保持部とを備え、
前記操作レバー部とせり出し保持部は、一端を前記本体部に回動可能に軸支され、
前記せり出し保持部と前記操作レバー部が相互に異なる方向へ回動し、
前記操作レバー部の回動に連動して前記せり出し保持部が回動し前記ハンドリング部が掴み可能にせり出す構造としたことを特徴とする電子機器。
【請求項２】
前記操作レバー部の軸部と、せり出し保持部の軸部とをワイヤで連結することにより、前記操作レバー部の前後方向への回動が前記ワイヤを介して前記せり出し保持部に伝達され、前記せり出し保持部が連動して前後方向へ回動してせり出すことを特徴とする請求項１に記載の電子機器。
【請求項３】
前記操作レバー部の軸部に設けたラック部をせり出し保持部の軸部に設けたギヤに噛み合わせて前記操作レバー部と前記せり出し保持部を連結し、前記操作レバー部の前後方向への回動が前記ラック部から前記ギヤを介して前記せり出し保持部に伝達され、前記せり出し保持部が連動して前後方向へ回動してせり出すことを特徴とする請求項１に記載の電子機器。
【請求項４】
前記操作レバー部の軸部に、前記前方への回動に対して一定の制動力を加える制動機構を設けたことを特徴とする請求項１から請求項３の何れか１項に記載の電子機器。
【請求項５】
前記制動機構が、バネ部材またはダンパーであることを特徴とする請求項４に記載の電子機器。
【請求項６】
前記操作レバー部と前記本体部の互いに対応する位置に、前記操作レバー部を後方に回動させた状態を一定の力で保持する磁石又は金属板を設けたことを特徴とする請求項１から請求項５の何れか１項に記載の電子機器。
【請求項７】
前記ハンドセットを前記せり出し保持部に載せた際に、前記ハンドセットの自重によって前記せり出し保持部が後方に回動することにより、前記磁石と金属板による前記操作レバーを後方に回動した状態の保持が解除されることを特徴とする請求項６に記載の電子機器。
【請求項８】
前記電子機器が、前記ハンドリング部をハンドセットする電話装置であることを特徴とする請求項１から請求項７の何れか１項に記載の電子機器。
【請求項９】
前記電子機器が、リモコン装置であることを特徴とする請求項１から請求項７の何れか１項に記載の電子機器。
【請求項１０】
本体部に対して手で掴んで操作するハンドリング部を備え、
前記本体部に、操作レバー部と、前記ハンドリング部を前記操作レバー部の表面と面一に保持するせり出し保持部とを備え、
前記操作レバー部とせり出し保持部は、一端を前記本体部に回動可能に軸支され、
前記せり出し保持部と前記操作レバー部が相互に異なる方向へ回動し、
前記操作レバー部の回動に連動して前記せり出し保持部が回動し前記ハンドリング部が掴み可能にせり出す構造としたことを特徴とするせり出し機構。
【請求項１１】
前記操作レバー部の軸部と、せり出し保持部の軸部とをワイヤで連結することにより、前記操作レバー部の前後方向への回動が前記ワイヤを介して前記せり出し保持部に伝達され、前記せり出し保持部が連動して前後方向へ回動してせり出す構造としたことを特徴とする請求項１０に記載のせり出し機構。
【請求項１２】
前記操作レバー部の軸部に設けたラック部をせり出し保持部の軸部に設けたギヤに噛み合わせて前記操作レバー部と前記せり出し保持部を連結し、前記操作レバー部の前後方向への回動が前記ラック部から前記ギヤを介して前記せり出し保持部に伝達され、前記せり出し保持部が連動して前後方向へ回動してせり出す構造としたことを特徴とする請求項１０に記載のせり出し機構。
【請求項１３】
前記操作レバー部の軸部に、前記前方への回動に対して一定の制動力を加える制動機構を設けたことを特徴とする請求項１０から請求項１２の何れか１項に記載のせり出し機構。
【請求項１４】
前記制動機構が、バネ部材またはダンパーであることを特徴とする請求項１３に記載のせり出し機構。
【請求項１５】
前記操作レバー部と前記本体部の互いに対応する位置に、前記操作レバー部を後方に回動させた状態を一定の力で保持する磁石又は金属板を設けたことを特徴とする請求項１０から請求項１４の何れか１項に記載のせり出し機構。
【請求項１６】
前記ハンドセットを前記せり出し保持部に載せた際に、前記ハンドセットの自重によって前記せり出し保持部が後方に回動することにより、前記磁石と金属板による前記操作レバーを後方に回動した状態の保持が解除されることを特徴とする請求項１５に記載のせり出し機構。
【請求項１７】
請求項１０から請求項１６の何れか１項に記載のせり出し機構を、ドアの取っ手構造に適用し、前記ハンドリング部と前記せり出し保持部とを一体としてドアの取っ手としたことを特徴とするドアの取っ手構造。
【発明の詳細な説明】
【技術分野】
【０００１】
本発明は、電話装置やリモコン装置等の手で掴んで操作するハンドリング部を有する電子機器の構造、及びその他の手で掴んで操作するハンドリング部を有する機構のせり出し機構に関する。
【背景技術】
【０００２】
従来、例えば電話装置やファックス装置等の電子機器においては、一般に机上に載置する機器本体に形成された収容部にハンドセットを手で掴むことのできる状態に保持する構造となっている。一般的な電話装置の構造は、例えば非特許文献１などに多数開示されている。
【０００３】
また、テレビやエアコン等を操作するためのリモコン装置やインターホーン等の電子機器では、それらを一定の位置に設置する場合には、壁面に専用のホルダーを取り付け、未使用時にはそのホルダーにリモコン装置を納めておき、必要に応じてホルダーからリモコン装置を取り出して使用する方法がとられている。
【非特許文献１】http://www.ntt-east.co.jp/ced/goods/shop_telfax.html
【発明の開示】
【発明が解決しようとする課題】
【０００４】
上述した従来の電話装置等の電子機器においては、以下に述べるような問題が存在する。
【０００５】
これまでの電話装置では、手で持って操作するハンドセットを機器本体に対してすぐに掴むことができるように載置する必要性があるため、ハンドセットを機器本体から突出させた状態で保持した構造としなければならず、このことが電話装置のデザインを決定するうえで大きな制約となっている。
【０００６】
このため、電話装置本来の機能を損なうことなくこれまでにない新たなデザインを可能とする構造を有する電話装置の提供が望まれている。
【０００７】
また、リモコン装置やインターホーン等の電子機器を壁面に設置する場合、壁面に専用のホルダーを取り付け、壁面から突出させた状態で設置する必要があるため、移動の邪魔となったり、設置場所の美観を損なってしまう可能性がある。
【０００８】
本発明の目的は、上述した従来の課題を解消し、電話装置等の電子機器としての本来の機能を損なうことなくこれまでにない新たなデザイン設計を可能とする構造を有する電子機器を提案することにある。
【０００９】
また、本発明の他の目的は、リモコン装置やインターホーン等の電子機器を設置場所の美観を損なうことなく壁面等に設置することができる電子機器を提案することある。
【００１０】
さらに、本発明の他の目的は、ドアの取っ手等の手で掴んで操作するハンドリング部を有する機構において、未使用時には面一の状態で収容され操作時にのみハンドリング部がせり出すようにしたせり出し機構を提案することにある。
【課題を解決するための手段】
【００１１】
上記目的を達成するため本発明は、機器本体部に対して着脱可能なハンドリング部を載置する電子機器であって、前記機器本体部に、操作レバー部と、前記ハンドリング部を載せた際に前記ハンドリング部を前記操作レバー部の表面と面一に保持するせり出し保持部とを備え、前記操作レバー部とせり出し保持部は、一端を前記本体部に回動可能に軸支され、前記せり出し保持部と前記操作レバー部が相互に異なる方向へ回動し、前記操作レバー部の回動に連動して前記せり出し保持部が回動し前記ハンドリング部が掴み可能にせり出す構造としたことを特徴とする。
【００１２】
好ましい態様では、前記操作レバー部の軸部と、せり出し保持部の軸部とをワイヤで連結することにより、前記操作レバー部の前後方向への回動が前記ワイヤを介して前記せり出し保持部に伝達され、前記せり出し保持部が連動して前後方向へ回動してせり出すことを特徴とする。
【００１３】
さらに好ましい態様では、前記操作レバー部の軸部に設けたラック部をせり出し保持部の軸部に設けたギヤに噛み合わせて前記操作レバー部と前記せり出し保持部を連結し、前記操作レバー部の前後方向への回動が前記ラック部から前記ギヤを介して前記せり出し保持部に伝達され、前記せり出し保持部が連動して前後方向へ回動してせり出すことを特徴とする。
【００１４】
また、本発明のせり出し機構は、本体部に対して手で掴んで操作するハンドリング部を備え、前記本体部に、操作レバー部と、前記ハンドリング部を前記操作レバー部の表面と面一に保持するせり出し保持部とを備え、前記操作レバー部とせり出し保持部は、一端を前記本体部に回動可能に軸支され、前記せり出し保持部と前記操作レバー部が相互に異なる方向へ回動し、前記操作レバー部の回動に連動して前記せり出し保持部が回動し前記ハンドリング部が掴み可能にせり出す構造としたことを特徴とする。
【００１５】
（作用）
本発明によれば、操作レバーが押されることによって後方へ回動すると、その回転がせり出し保持部に伝達され、それによってせり出し保持部が軸部を支点にして操作レバーの中央に形成された空間を前方に回動する。それによって、せり出し保持部に収納されているハンドセットがせり出し保持部と共に前方に回動してせり出し、ハンドセットが手で掴むことができる状態まで露出する。
【００１６】
ハンドセットをせり出し保持部に載せると、ハンドセットの重さによりせり出し保持部が初期状態に沈み込み、ハンドセットが収納状態に保持される。
【発明の効果】
【００１７】
本発明によれば、電話装置等の電子機器としての本来の機能を損なうことなくこれまでにない新たなデザイン設計を可能とする構造を有する電子機器を実現することができる。
【００１８】
また、リモコン装置やインターホーン等の電子機器を設置場所の美観を損なうことなく壁面等に設置することが可能となる。
【００１９】
さらに、ドアの取っ手等の手で掴んで操作するハンドリング部を有する機構において、未使用時には面一の状態で収容され操作時にのみハンドリング部がせり出すようにしたせり出し機構を実現できる。
【発明を実施するための最良の形態】
【００２０】
（第１の実施の形態）
次に、本発明の第１の実施の形態について図面を参照して詳細に説明する。
【００２１】
本実施の形態では、本発明のせり出し機構を電話装置に適用した例について説明する。
【００２２】
（第１の実施の形態の構成）
図１は本実施の形態による電話装置の外観斜視図、図２は図１で示す初期状態においてハンドセット２０を取り外した状態を示す外観斜視図、図３は図２で取り出したハンドセット２０を示す外観斜視図である。
【００２３】
図１〜図３を参照すると、この電話装置は、本体部１０に装着されるハンドセット２０の表面が、本体部１０の表面と面一の状態（初期状態、図1の状態）になるように保持される構造となっている。
【００２４】
図４〜図１１は、本実施の形態によるせり出し機構を有する電話装置の構造を説明する図である。
【００２５】
本実施の形態による電話装置の本体部１０は、基部１１と、操作レバー１２と、せり出し保持部１３とで構成されている。
【００２６】
図４に示すように、基部１１は、机上などに設置され、ハンドセット２０の下端部を支持する支持部１１１を備え、後述する操作レバー１２の軸部分及びせり出し保持部１３の回転軸がそれぞれ回動可能に連結されている。
【００２７】
また、基部１１の背面には、上下方向にスライド可能な脚１１２が取り付けられ、脚１１２がスライドすることによって、机上等に設置した際の角度を調整できるようになっている。
【００２８】
さらに、基部１１は、後述する操作レバー１２の固定用磁石１２４に対応する位置に金属板１１３が設置されている。
【００２９】
図１１を参照すると、操作レバー１２は、せり出し保持部１３の両側に配置された左右の押圧板１２２を下端側で互いに連結し、中央にハンドセット２０を収容可能な空間を有する形状となっている。
【００３０】
また、操作レバー１２は、基部１１に軸支される軸部分を操作レバー１２の上端側に備え、その回転軸を中心に下端側が前後に回動可能となっている。
【００３１】
本実施の形態においては、上記操作レバー１２の内部には、電話装置での通話に使用するスピーカ（例えば、フラットスピーカ）が内蔵されている。
【００３２】
操作レバー１２の回転軸には、図１１に示すように、操作レバー１２の回動を抑制するための弾性部材（バネ部材）１２３が設けられている。
【００３３】
この弾性部材１２３は、一端が操作レバー１２の上端側に、他端が基部１１側に固定されていて、操作レバー１２の上端側を常時後方へ付勢しており、せり出し保持部１３にハンドセット２０が収納された場合、操作レバー１２の位置を初期位置（初期状態、図1の状態）まで滑らかに移動させる機能を有する。
【００３４】
なお、本実施の形態において、弾性部材１２３を、操作レバー１２と基部１１との間に設けたが、基部１１とせり出し保持部１３の回転軸に設けても上記同様の効果が得られる。
【００３５】
さらに、操作レバー１２には、図４に示すように、操作レバー１２が基部１１側に当接する位置に、例えば、磁石等からなる固定用磁石１２４が設けられている。基部１１の固定用磁石１２４と対応する位置には、金属板１１３が設けられている。
【００３６】
すなわち、操作レバー１２及び基部１１がこのような構成であることによって、せり出し保持部１３からせり出した状態で操作レバー１２の固定用磁石１２４が、基部１１の金属板１１３に固着して操作レバー１２の動きが固定され、それに伴いせり出し保持部１３も、ハンドセット２０を取り出された状態が保持されることになる（図６及び図１０参照）。
【００３７】
また、固定用磁石１２４は、操作レバー１２を固定した状態でせり出し保持部１３にハンドセット２０が収納されると、ハンドセット２０の重さによって操作レバー１２の固定が解除される程度の固着力を有するものとする。すなわち、固定用磁石１２４は、ハンドセット２０がせり出し保持部１３に収納されていない状態でのみ操作レバー１２を所定の位置に保持する。
【００３８】
なお、固定用磁石１２４については、操作レバー１２と基部１１の何れの側に設けてもよいし、せり出し保持部１３側に設けられて、せり出し保持部１３を基部１１に固定するようにしてもよい。
【００３９】
図４を参照すると、せり出し保持部１３は、基部１１に軸支される回転軸を下端側に備え、その回転軸を中心に上端側が前後に回動可能となっている。
【００４０】
また、せり出し保持部１３は、ハンドセット２０を保持するホルダー１３２を備え、ホルダー１３２にハンドセット２０を載せると、ハンドセット２０の重さによりせり出し保持部１３が上記初期位置まで沈み込み、ハンドセット２０を収納状態に保持する。
【００４１】
操作レバー１２の回転軸１２１とせり出し保持部１３の回転軸１３１は、互いにワイヤ１４によって連結されている。
【００４２】
この連結によって、操作レバー１２の前後方向への回動に連動してせり出し保持部１３が前後方向へ回動する構造となっている。
【００４３】
具体的には、操作レバー１２を押して後方へ回動させると、回転軸１２１の回転がワイヤ１４を介してせり出し保持部１３の回転軸１３１に伝達され、それによってせり出し保持部１３が軸部分を支点にして前方に回動する。
【００４４】
すなわち、操作レバー１２の回動角度に応じて、せり出し保持部１３が所定の角度回動する。せり出し保持部１３の所定の回動角度は、操作レバー１２の回転軸１２１の径とせり出し保持部１３の回転軸１３１の径との比率と、操作レバー１２の回動角度とに基づいて定めることができる。
【００４５】
本実施の形態において、回転軸１２１の径と回転軸１３１の径との比率は約７対９に設定されており、例えば、操作レバー１２を押して後方へ９度回動させると、せり出し保持部１３が軸部分を支点にして前方に７度回動するように構成されている。
【００４６】
なお、本実施の形態において、回転軸１２１、１３１が互いにワイヤ１４によって連結されているが、これは１例であって、例えば、ベルト部材等で連結してもよい。
【００４７】
ハンドセット２０は、図３に示すような形状に形成されている。すなわち、全体が取っ手の機能を有する略コの字状の薄型の筐体で形成されており、ハンドセット２０本体の前面には、タッチパネル式の押ボタンや液晶画面が平面的に配置されている。
【００４８】
（第１の実施の形態の動作）
次いで、上記のように構成される第１の実施の形態による電話装置の動作について説明する。
【００４９】
まず、上記初期状態（図１及び図７参照）において、操作レバー１２が押されることによって後方へ回動すると回転軸１２１が回転し、その回転軸１２１の回転がワイヤ１４を介してせり出し保持部１３の回転軸１３１に伝達され、それによってせり出し保持部１３が軸部分を支点にして操作レバー１２の中央に形成された空間を前方に回動する。
【００５０】
せり出し保持部１３が軸部分を支点にして操作レバー１２の中央に形成された空間を前方に回動することによって、せり出し保持部１３に収納されているハンドセット２０がせり出し保持部１３と共に前方に回動してせり出し、ハンドセット２０の取っ手部がせり出して手で掴むことができる状態まで露出する（図５及び図８参照）。
【００５１】
また、その際、せり出し保持部１３が基部１１側に当接することによって前方への回動（せり出し）が制限されると共に、操作レバー１２の固定用磁石１２４が基部１１の金属板１１３に固着する。
【００５２】
さらに、ハンドセット２０がせり出し保持部１３から取り出された場合には、せり出し保持部１３が上記固定用磁石１２４の保持力によってせり出した状態が維持される。
【００５３】
次いで、ハンドセット２０をせり出し保持部１３のホルダー１３２に載せると、ハンドセット２０の重さにより操作レバー１２の固定用磁石１２４による固定が解除され、せり出し保持部１３が上記初期状態に沈み込み、ハンドセット２０を収納状態に保持する（図１及び図７参照）。
【００５４】
（第１の実施の形態の効果）
以上説明したように、本実施の形態によれば、操作レバー１２とハンドセット２０が面一となっている状態で、操作レバー１３の押圧板１２２を手を開いた状態で押すと、ハンドセットが手前にせり出すことにより、ハンドセット２０をそのまま掴むことができる。
【００５５】
その理由は、本体部１０に装着されるハンドセット２０の表面が、本体部１０の表面と面一の状態（初期状態）に保持される構造とし、操作レバー１３が押されることによって後方へ回動すると回転軸１２１が回転し、その回転軸の回転がワイヤ１４を介してせり出し保持部１３の回転軸１３１に伝達され、それによってせり出し保持部１３が軸部分を支点にして操作レバー１２の中央に形成された空間を前方に回動し、せり出し保持部１３が軸部分を支点にして操作レバー１２の中央に形成された空間を前方に回動することによって、せり出し保持部１３に収納されているハンドセット２０がせり出し保持部１３と共に前方に回動し、ハンドセット２０の取っ手部が前方にせり出す（露出する）からである。
【００５６】
また、本実施の形態によれば、ハンドセット２０をせり出し保持部１３に載せると、ハンドセット２０の表面が、本体部１０の表面と面一の状態（初期状態）に保持される。
【００５７】
その理由は、ハンドセット２０の重さによって操作レバー１２の固定が解除される程度の固着力を有する固定用磁石１２４及び金属板１１３が操作レバー１２及び基部１１に設けられており、ハンドセット２０がせり出し保持部１３に収納されていない状態では、当該固着力によってせり出し保持部１３がせり出した状態であるが、ハンドセット２０がせり出し保持部１３に収納された状態では、当該固着力が解除され、せり出し保持部１３がハンドセット２０の重さで押されることによって後方へ回動すると回転軸１３１が回転し、その回転軸の回転がワイヤ１４を介して操作レバー１２の回転軸１２１に伝達され、それによって操作レバー１２が軸部分を支点にして回動し、せり出し保持部１３が軸部分を支点にして操作レバー１２の中央に形成された空間を後方に回動することによって、せり出し保持部１３に収納されているハンドセット２０がせり出し保持部１３と共に後方に回動し、ハンドセット２０の表面が本体部１０の表面と面一の状態（初期状態）に保持されるからである。
【００５８】
また、本実施の形態によれば、上記構成を採用したことにより、ハンドセット２０が電話装置のフラットな平面内に収まり、電話装置本来の機能を損なうことなくこれまでにない斬新なデザインの電話装置を提供することが可能となる。
【００５９】
また、本実施の形態によれば、ハンドセット２０が電話装置のフラットな平面内に収まるので、ハンドセット２０を設置するスペースの省略が可能となるとともに、電話装置のデザイン上の多様性が向上する。
【００６０】
本実施の形態によれば、電話装置表面の面一の状態の一部を形成する操作レバー１３の表面を手を開いた状態で押すと、ハンドセット２０をそのまま掴むことができるという珍しい機構を採用したため、当該電話装置における顧客吸引力が向上する。
【００６１】
（第２の実施の形態）
次に、本発明の第２の実施の形態について説明する。
【００６２】
第２の実施の形態は、本発明におけるせり出し機構を、第１の実施の形態による回転軸１２１、１３１及びワイヤ１４からなる連結構造を用いずに、ラック６０及びギア７０からなる連結構造を用いて電話装置に適用した例である。以下、第１の実施の形態と異なる点を中心に説明する。
【００６３】
（第２の実施の形態の構成）
図１２に示すように、本実施の形態による操作レバー１２ｃの下端側にはラック６０が設けられ、本実施の形態によるせり出し保持部１３ｃの軸部分にはギア７０が設けられており、操作レバー１２ｃとせり出し保持部１３ｃが、そのラック６０とギア７０によって互いに連結されている。
【００６４】
この連結構造によって、操作レバー１２ｃの前後方向への回動に連動してせり出し保持部１３ｃが前後方向へ回動する。
【００６５】
具体的には、操作レバー１２ｃを押して後方へ回動させると、ラック６０が後方に移動し、そのラック６０の移動によってギア７０が回転し、ギア７０が回転することによって、せり出し保持部１３ｃが軸部分を支点にして前方に回動する。
【００６６】
すなわち、操作レバー１２ｃの回動角度に対応してラック６０が移動し、ラック６０の移動距離に対応して、せり出し保持部１３ｃが所定の角度回動する。
【００６７】
せり出し保持部１３ｃの所定の回動角度は、ラック６０の歯数ピッチと、ギア７０の径及び歯数ピッチと、操作レバー１２ｃの回動角度（ラック６０の移動距離）とに基づいて定まる。
【００６８】
（第２の実施の形態の動作）
次いで、上記のように構成される第２の実施の形態による電話装置の動作について説明する。
【００６９】
まず、上記初期状態（図１８（ａ）参照）において、操作レバー１２ｃが押されることによって操作レバー１２ｃの下端側を軸に後方へ回動するとラック６０が後方に移動する。それによってギア７０が回転し、せり出し保持部１３ｃが、せり出し保持部１３ｃのギア７０が形成された下端側の軸部分を支点にして前方に回動する。
【００７０】
せり出し保持部１３ｃがせり出し保持部１３ｃの下端側の軸部分を支点にして回動することによって、せり出し保持部１３ｃに収納されているハンドセット２０ｃがせり出し保持部１３ｃと共に前方に回動し、ハンドセット２０ｃが取り出し可能となる（図１８（ｂ）参照）。
（第２の実施の形態の効果）
以上説明したように、本実施の形態によっても、第１の実施の形態と同様の効果が得られる。
【００７１】
（第３の実施の形態）
次に、本発明の第３の実施の形態について説明する。
【００７２】
第３の実施の形態は、本発明におけるせり出し機構を、第１の実施の形態における場合と天地を逆にして、壁面に収容するリモコンセットとして適用した例である。以下、第１の実施の形態と異なる点を中心に説明する。
【００７３】
（第３の実施の形態の構成）
図１３は、本実施の形態によるリモコンセットが設置された壁面の外観斜視図であり、図１４は、本実施の形態によるリモコンセットのリモコンを着脱した状態を示す断面図である。
【００７４】
図１４（ａ）を参照すると、このリモコンセットは、第１の実施の形態と異なり、ハンドセット２０の代わりにリモコン３０が本実施の形態によるせり出し保持部１３ａに収納されており、本発明によるせり出し機構が適用された筐体４０を備え、筐体４０の表面が壁面の表面と面一の状態（初期状態）で保持されるように、この筐体４０が壁面内に固定されている。
【００７５】
すなわち、本実施の形態による基部１１ａが、壁面内に固定された筐体４０に固定されることによって、本実施の形態による操作レバー１２ａ及びせり出し保持部１３ａが安定して回動する構造となっている。
【００７６】
なお、壁面が鉛直方向に設置されているため、初期状態においてリモコン３０がリモコンセットから外れて落ちることを防止するため、リモコン３０をせり出し保持部１３ａに引っ掛けるためのフックをリモコン３０の背面上部に設けてもよい。
【００７７】
（第３の実施の形態の動作）
次いで、上記のように構成される第３の実施の形態によるリモコンセットの動作について説明する。
【００７８】
まず、上記初期状態（図１４（ａ）参照）において操作レバー１２ａが押されることによって操作レバー１２ａの下端側を軸に後方へ回動すると、それによってせり出し保持部１３ａがせり出し保持部１３ａの上端側の軸部分を支点にして前方に回動する。
【００７９】
せり出し保持部１３ａが回動することによって、せり出し保持部１３ａに収納されているリモコン３０がせり出し保持部１３ａと共に前方に回動して露出し、リモコン３０が取り出し可能となる（図１３及び図１４（ｂ）参照）。
【００８０】
また、取り出したリモコン３０をせり出し保持部１３ａのホルダー１３２ａに載せると、せり出し保持部１３ａが、リモコン３０の重さにより上記初期状態に沈み込み、リモコン３０を収納状態に保持する。
【００８１】
（第３の実施の形態の効果）
以上説明したように、本実施の形態によれば、第１の実施の形態と同様にして、壁面の面一の状態の一部を形成する操作レバー１３ａの押圧板１２２ａを手を開いた状態で押すと、リモコン３０をそのまま掴むことができる。
【００８２】
また、本実施の形態によれば、リモコン３０をせり出し保持部１３ａに引っ掛けるためのフックをリモコン３０の背面上部に設けてある場合には、初期状態において、鉛直方向に設置されている壁面でリモコン３０がリモコンセットから外れて落ちることを防止することができる。
【００８３】
（第４の実施の形態）
次に、本発明の第４の実施の形態について説明する。
【００８４】
第４の実施の形態は、本発明におけるせり出し機構を、ドア５０の取っ手部分に適用した例である。以下、第１の実施の形態と異なる点を中心に説明する。
【００８５】
（第４の実施の形態の構成）
図１５は、本実施の形態によるドア５０の正面図であり、図１５、図１６は、本実施の形態によるドア５０の取っ手５１の断面図であり図１７は、本実施の形態によるドア５０の取っ手５１の外観斜視図である。
【００８６】
図１５〜図１８を参照すると、このドア５０は、第１の実施の形態と異なり、取り外し可能なハンドセット２０の代わりに本実施の形態によるせり出し保持部１３ｂが取っ手５１として一体に形成されており、取っ手５１の表面がドア５０の表面と面一の状態（初期状態）になるように保持される構造となっている。
【００８７】
なお、本実施の形態による、操作レバー１２ｂの軸部分が一般的な方法でドアのロック機構と連結しており、操作レバー１２ｂが所定の位置まで押されると、操作レバー１２ｂの軸部分が所定の角度回動することによって、ドアのロックが解除される。
【００８８】
（第４の実施の形態の動作）
次いで、上記のように構成される第４の実施の形態によるドア５０の取っ手５１部分の動作について説明する。
【００８９】
まず、上記初期状態（図１５及び図１６参照）において、操作レバー１２ｂが押されることによって操作レバー１２ｂの左端側を軸に後方へ回動すると、それによってドアのロックが解除されると共にせり出し保持部１３ｂがせり出し保持部１３ｂの右端側の軸部分を支点にして前方に回動する。
【００９０】
せり出し保持部１３ｂが回動することによってせり出し保持部１３ｂが露出するため、露出したせり出し保持部１３ｂを取っ手５１として掴むことが可能となる（図１７及び図１８参照）。
【００９１】
次いで、操作レバー１２ｂを押す外力がなくなると、ドア５０の取っ手５１部分は、第１の実施の形態と同様にして、本実施の形態による弾性部材１２３ｂによって上記初期状態に滑らかに移動する。
【００９２】
（第４の実施の形態の効果）
以上説明したように、本実施の形態によれば、第１の実施の形態と同様にして、ドア５０の面一の状態の一部を形成する操作レバー１３ｂの押圧板１２２ｂを手を開いた状態で押すと、ロックが解除されたドア５０の取っ手５１をそのまま掴むことができる。
【００９３】
以上好ましい複数の実施の形態をあげて本発明を説明したが、本発明は必ずしも、上記実施の形態に限定されるものでなく、その技術的思想の範囲内において様々に変形して実施することができる。
【００９４】
本発明におけるせり出し機構は、上記以外に、例えば、ガスコンロのツマミ構造に適用することも可能である。その場合、ガスコンロの火力調節機構と連結されるツマミ部分（ハンドリング部）が、せり出し保持部に回動可能に取り付けられ、ツマミを操作レバー１２と共に、ガスコンロ前面と面一となるように構成する。また、操作レバーの回転軸は、一般的な方法でガスコンロの点火機構と連結させ、操作レバーが所定の位置まで押されると、ガスコンロが点火するように構成する。
【００９５】
また、例えば、上記実施の形態において、せり出し保持部１３に着脱可能な装置の例として、ハンドセット２０やリモコンを挙げたが、せり出し保持部１３に着脱可能な装置はこれらに制限されず、せり出し保持部１３に収納した場合のみならずせり出し保持部１３から取り出した場合にも使用することができる携帯型テレビであってもよいし、通常は使用機会が少ないが常備しておきたい懐中電灯等であってもよい。
【００９６】
また、例えば、上記実施の形態において、せり出し保持部１３に形成された構成部の例として、ドアの取っ手を挙げたが、せり出し保持部１３に形成された構成部はこれに制限されず、ノブや、インターホーン等であってもよい。
【図面の簡単な説明】
【００９７】
【図１】第１の実施の形態による電話装置の外観斜視図である。
【図２】図１で示す初期状態において、ハンドセット２０を取り外した状態を示す外観斜視図である。
【図３】図２で取り出したハンドセット２０を示す外観斜視図である。
【図４】本実施の形態による電話装置の各構成要素を示す分解斜視図である。
【図５】図１で示す初期状態から操作レバー１２を後方に回動させ、ハンドセット２０を露出させた状態を示す外観斜視図である。
【図６】図５で示す状態からハンドセット２０を取り外した状態を示す外観斜視図である。
【図７】図１で示す初期状態における電話装置の断面図である。
【図８】図５で示す状態における電話装置の断面図である。
【図９】図２で示す状態における電話装置の断面図である。
【図１０】図６で示す状態における電話装置の断面図である。
【図１１】本実施の形態における固定用磁石１２４を示す操作レバー１２の拡大図である。
【図１２】第２の実施の形態による電話装置の断面図である。
【図１３】第３の実施の形態によるリモコンセットが設置された壁面の外観斜視図である。
【図１４】第３の実施の形態によるリモコンセットのリモコンを着脱した状態を示す断面図である。
【図１５】第４の実施の形態によるドア５０の正面図である。
【図１６】第４の実施の形態によるドア５０の取っ手５１の断面図である。
【図１７】第４の実施の形態によるドア５０の取っ手５１の断面図である。
【図１８】第４の実施の形態によるドア５０の取っ手５１の外観斜視図である。
【符号の説明】
【００９８】
１０：本体
１１、１１ａ、１１ｂ、１１ｃ：基部
１１２：脚
１１３：金属板
１２、１２ａ、１２ｂ、１２ｃ：操作レバー
１２１、１２１ａ：回転軸
１２２、１２２ａ、１２２ｂ、１２２ｃ：押圧板
１２３、１２３ｂ：弾性部材
１２４：固定用磁石
１３、１３ａ、１３ｂ、１３ｃ：押し上げ部
１３１、１３１ａ：回転軸
１３２：ホルダー
１４、１４ａ：ワイヤ
２０：ハンドセット
３０：リモコン
４０、４１：筐体
５０：ドア
５１：取っ手
６０：ラック
７０：ギア
【図１】
2007166558.tif 000003
【図２】
2007166558.tif 000004
【図３】
2007166558.tif 000005
【図４】
2007166558.tif 000006
【図５】
2007166558.tif 000007
【図６】
2007166558.tif 000008
【図７】
2007166558.tif 000009
【図８】
2007166558.tif 000010
【図９】
2007166558.tif 000011
【図１０】
2007166558.tif 000012
【図１１】
2007166558.tif 000013
【図１２】
2007166558.tif 000014
【図１３】
2007166558.tif 000015
【図１４】
2007166558.tif 000016
【図１５】
2007166558.tif 000017
【図１６】
2007166558.tif 000018
【図１７】
2007166558.tif 000019
【図１８】
2007166558.tif 000020